【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
磁束発生手段の磁束により発熱する発熱部材と、前記発熱部材の熱により被加熱材上の像を加熱する加熱装置において、
前記発熱部材のキュリー温度が装置の像加熱温度以上装置の耐熱温度よりも低い温度領域にあって、かつ前記発熱部材の被加熱材搬送方向に直交する幅方向において、前記磁束発生手段からの発生磁束量が前記発熱部材の中央部よりも端部が大であることを特徴とする加熱装置。
【請求項２】
前記磁束発生手段は、少なくとも磁束を発生するコイルと、前記コイルにより発生した磁束を前記発熱部材に導く芯材とからなることを特徴とする請求項１に記載の加熱装置。
【請求項３】
前記発熱部材の被加熱材搬送方向に直交する幅方向に関して、前記発熱部材の中央部よりも端部の方が前記芯材と前記発熱部材間の間隔が狭いことを特徴とする請求項２に記載の加熱装置。
【請求項４】
前記発熱部材の被加熱材搬送方向に直交する幅方向に関して、前記発熱部材の中央部よりも端部の方が芯材間距離が小さいことを特徴とする請求項２に記載の加熱装置。
【請求項５】
前記発熱部材の被加熱材搬送方向に直交する幅方向に関して、前記発熱部材の中央部よりも端部の方が芯材の透磁率が大きいことを特徴とする請求項２に記載の加熱装置。
【請求項６】
前記発熱部材の被加熱材搬送方向に直交する幅方向に関して、前記発熱部材の中央部よりも端部の方が前記コイルの巻き数が大きいことを特徴とする請求項２に記載の加熱装置。
【請求項７】
前記発熱部材の被加熱材搬送方向に直交する幅方向に関する前記コイルの単位長さあたりの巻き数は、前記幅方向の中央部よりも両端部が大であることを特徴とする請求項２に記載の加熱装置。
【請求項８】
前記発熱部材の被加熱材搬送方向に直交する幅方向に関して、前記コイルは複数のコイルに分割されて配置され、前記幅方向の中央部に配置される第一のコイルが発生する磁束密度よりも、両端部に配置される第二および第三のコイルが発生する磁束密度が大であることを特徴とする請求項２に記載の加熱装置。
【請求項９】
前記発熱部材の温度を検知する温度検知手段と、前記温度検知手段の出力に応じて前記発熱部材を所定の定着温度に制御する温度制御手段とを有することを特徴とする請求項１に記載の加熱装置。
【請求項１０】
磁束発生手段の磁束により発熱する磁性を有する発熱部材と、該発熱部材の熱により被加熱材上の像を加熱する加熱装置において、
前記発熱部材の温度が装置の耐熱温度より低い温度範囲内において、前記発熱部材の温度上昇に伴い前記発熱部材の抵抗値が減少する温度領域を少なくとも有する発熱部材であって、かつ前記発熱部材の被加熱材搬送方向に直交する幅方向において、前記磁束発生手段からの発生磁束量が前記発熱部材の中央部よりも端部が大であることを特徴とする加熱装置。
【請求項１１】
前記発熱部材の温度が装置の耐熱温度より低い温度範囲内において、少なくとも前記発熱部材の定着温度時の抵抗値よりも低い温度領域を有することを特徴とする請求項１０に記載の加熱装置。
【請求項１２】
前記像加熱温度と前記装置の耐熱温度の間で前記抵抗値が極大となる温度を有することを特徴とする請求項１０に記載の加熱装置。
【手続補正２】
【補正対象書類名】明細書
【補正対象項目名】００１４
【補正方法】変更
【補正の内容】
【００１４】
上記目的を達成するための本発明に係る代表的な加熱装置の構成は、磁束発生手段の磁束により発熱する発熱部材と、前記発熱部材の熱により被加熱材上の像を加熱する加熱装置において、前記発熱部材のキュリー温度が装置の像加熱温度以上装置の耐熱温度よりも低い温度領域にあって、かつ前記発熱部材の被加熱材搬送方向に直交する幅方向において、前記磁束発生手段からの発生磁束量が前記発熱部材の中央部よりも端部が大であることを特徴とする。
【手続補正３】
【補正対象書類名】明細書
【補正対象項目名】００１５
【補正方法】変更
【補正の内容】
【００１５】
また、上記目的を達成するための本発明に係る他の代表的な加熱装置の構成は、磁束発生手段の磁束により発熱する磁性を有する発熱部材と、該発熱部材の熱により被加熱材上の像を加熱する加熱装置において、前記発熱部材の温度が装置の耐熱温度より低い温度範囲内において、前記発熱部材の温度上昇に伴い前記発熱部材の抵抗値が減少する温度領域を少なくとも有する発熱部材であって、かつ前記発熱部材の被加熱材搬送方向に直交する幅方向において、前記磁束発生手段からの発生磁束量が前記発熱部材の中央部よりも端部が大であることを特徴とする。
【手続補正４】
【補正対象書類名】明細書
【補正対象項目名】００１６
【補正方法】変更
【補正の内容】
【００１６】
発熱部材の被加熱材搬送方向に直交する幅方向において、発熱部材に作用する磁束量が発熱部材の中央部よりも端部が大きいため、発熱部材端部での温度低下を防止することができ、かつ発熱部材のキュリー温度が装置の像加熱温度以上装置の耐熱温度より低い温度範囲内において、少なくとも発熱部材の抵抗値が減少する温度領域を有する為、最大サイズよりも小サイズの被加熱材が搬送された場合における大サイズの通過領域と小サイズの通過領域の差領域での温度上昇（非通紙部昇温）を低減することができる。
【手続補正５】
【補正対象書類名】明細書
【補正対象項目名】００４２
【補正方法】変更
【補正の内容】
【００４２】
本実施例では、通紙は中央基準で行われる。Ｓはその中央基準（仮想線）である。すなわち、いかなる記録シートサイズでも、記録シートの中央部が加熱ローラ軸方向中央部を通過することになる。本実施例の画像形成装置においては、通紙できる記録シートの最大サイズ（以下、大サイズ紙と記す）は例えばＡ４横である。また通紙できる記録シートの最小サイズ（以下、小サイズ紙と記す）は例えばＢ５Ｒである。Ｐ１はその大サイズ紙の通紙領域幅、Ｐ２は小サイズ紙の通紙領域幅である。
【手続補正６】
【補正対象書類名】明細書
【補正対象項目名】００４５
【補正方法】変更
【補正の内容】
【００４５】
制御回路部１００はこのサーミスタ１１から入力する加熱ローラ１の検知温度が所定の定着温度１９０℃に維持されるように高周波インバーター１０１から励磁コイル６に供給される周波数（電力）を制御して加熱ローラ１の温度立上げ、定着温度１９０℃での温調を行う。加熱ローラ１は大サイズ紙通紙領域幅Ｐ１の全域が定着温度１９０℃に立ち上げられて温調される。即ち、制御回路部１００は、温度検知手段であるサーミスタ１１の出力に応じて発熱部材である加熱ローラ１を所定の定着温度に制御する温度制御手段として機能する。
【手続補正７】
【補正対象書類名】明細書
【補正対象項目名】００６７
【補正方法】変更
【補正の内容】
【００６７】
以上より、芯金１ａに、所定の温度、具体的には、像加熱温度としての定着温度よりも高く、被通紙部昇温の許容昇温温度内の所定の温度にキュリー温度を調整した整磁合金を用いることによって、芯金１ａはキュリー温度以付近では発熱量が急激に低下する為、小サイズの記録シートを通紙しても、非通紙部昇温が発生を防止もしくは低減することができる。
【手続補正８】
【補正対象書類名】明細書
【補正対象項目名】００６９
【補正方法】変更
【補正の内容】
【００６９】
本実施例においては前述のように、加熱ローラ１の導電部材である芯金１ａのキュリー温度を２１０℃、定着温度を１９０℃とした。
定着温度とは用紙上のトナーを定着する際の加熱ローラの温度であり、本実施例では定着温度は１９０℃として説明したがこれに限らず、搬送される紙の厚みや加熱ローラの畜熱状態によって定着温度は複数有しても本発明は適応可能である。この場合、少なくとも一つの定着温度において上述した関係を満たすものであれば本発明の効果を得ることができる。
【手続補正９】
【補正対象書類名】明細書
【補正対象項目名】００７１
【補正方法】変更
【補正の内容】
【００７１】
試料にコイルを設定したら、恒温室に試料を入れて温度を飽和させ、その温度における透磁率をプロットする。恒温室の温度を変えてやることで透磁率の温度依存性曲線が得られる。このとき透磁率が１となる温度をキュリー温度とする（図１７）。ここで、透磁率が１となる温度は以下のように求める。恒温室の温度を上昇させていき、ある温度で透磁率が変化しなくなる。この温度を透磁率が１となった温度（キュリー温度）とみなす。
【手続補正１０】
【補正対象書類名】明細書
【補正対象項目名】００７３
【補正方法】変更
【補正の内容】
【００７３】
また、磁性芯材５と加熱ローラ１の導電部材である芯金１ａとの距離を、加熱ローラ長手方向の中央付近よりも端部付近を小にして、加熱ローラ長手方向の発熱量を加熱ローラ中央付近よりも端部付近が大となるようにしたことを特徴としている。即ち、発熱部材の被加熱材搬送方向に直交する幅方向に関して、発熱部材の中央部よりも端部の方が芯材と発熱部材間の間隔が狭いことを特徴とする。
【手続補正１１】
【補正対象書類名】明細書
【補正対象項目名】００９０
【補正方法】変更
【補正の内容】
【００９０】
本実施で示した励磁コイル６および芯材５の配置に関しては一例であって、例えば図１０の（ｂ）に示すように、図１０の（ａ）のものとの対比において加熱ローラ長手両端部の磁性芯材５ｄをさらに分割して、隣り合う磁性芯材との距離を中央部に対して両端部を小さくしても良い。すなわち、磁性芯材５は、加熱ローラ長手方向で複数に分割されており、芯金１ａに対向して芯材５が配置されていない領域が、加熱ローラ長手中央部のほうが両端部よりも大きくする。つまり、発熱部材の被加熱材搬送方向に直交する幅方向に関して、発熱部材の中央部よりも端部の方が芯材間距離が小さいことを特徴とする。これによって、芯金１ａ中に導かれる磁束は、加熱ローラ長手中央部よりも両端部を大とすることができ、その結果、加熱ローラ１の長手中央部の発熱量よりも両端部の発熱量が大となるため、加熱ローラの端部温度ダレを解消することが出来る。